(57)【特許請求の範囲】
【請求項１】
ブラシ毛を植え付けた植え付け部とこの植え付け部に連結する連結部とを備えたブラシ本体と握り部と上記ブラシ本体に連結する連結部とを備えた柄本体とからなり、
上記ブラシ本体の連結部あるいは柄本体の連結部のいずれか一方の連結部には挿入穴を形成し、いずれか他方の連結部には、上記一方の連結部に設けた挿入穴に挿入される挿入突部を形成した組み立て式ブラシにおいて、
上記一方の連結部の挿入穴は、上記挿入突部の挿入方向を基準として、後方に位置する第１挿入穴と、この第１挿入穴よりも前方に位置し、上記第１挿入穴よりも開口断面を小さくした第２挿入穴と、これら第１，２挿入穴の中間に位置し、その縁に引っ掛け部を設けた開口とを備え、
上記他方の連結部の挿入突部は、上記挿入穴への挿入方向を基準として後方に位置する第１挿入突部と、この第１挿入突部に連続し、この第１挿入突部よりも前方に位置して第１挿入突部より幅を狭くした第２挿入突部と、上記第１挿入突部に連続し、上記第２挿入突部の両外側に位置してその先端に鉤部を設けた一対の弾性引っ掛け片とを備え、
上記第２挿入突部は上記弾性引っ掛け片よりも上記挿入方向前方に突出する長さを保ち、上記第１，２挿入穴の挿入方向長さを上記第１，２挿入突部及び上記弾性引っ掛け片を挿入可能な寸法にするとともに、上記第１，２挿入穴の内周と第１，２挿入突部の外周とがほぼ一致する寸法にし、
かつ、上記弾性引っ掛け片は、自然状態において上記鉤部が上記第１挿入突部の幅より外方に突出する寸法関係を維持し、
上記挿入穴に上記挿入突部を挿入したとき、上記弾性引っ掛け片の鉤部が、上記開口から外方へ突出して上記引っ掛け部に引っ掛かる構成にした組み立て式ブラシ。
【発明の詳細な説明】
【技術分野】
【０００１】
この発明は、ブラシ本体と柄本体とを組み立て可能にした組み立て式ブラシ、このブラシに用いる柄及びブラシ構造体に関する。
【背景技術】
【０００２】
例えば、金属の錆落としや、油などのしつこい汚れを落とす、いわゆる工業用ブラシは、ブラシの部分を対象物に強く押し付けながら錆落としや汚れ落しをするので、ブラシ部分の磨耗が激しくなる。そのためにこの工業用ブラシの分野では、柄の部分をそのままにして磨耗したブラシ部分だけを取り替えることが求められている。
ブラシ部分だけを取り替える考え方は、例えば特許文献1に開示されている。この特許文献1に記載されたブラシは、柄の部分とブラシの部分とをねじで連結して、その連結部分を着脱可能にしたものである。
【先行技術文献】
【特許文献】
【０００３】
【特許文献１】特開平１０−２９５４４１号公報
【発明の概要】
【発明が解決しようとする課題】
【０００４】
上記のようにした従来のブラシは、柄の部分とブラシの部分とをねじで連結しているので、例えば、ブラシの部分を対象物に強く押し付けると、その雄ねじの基端部分に応力が集中し、雄ねじが破損しやすくなる。そこで、雄ねじの破損を防ぐために、当該雄ねじを太くすることも考えられるが、ねじの部分だけを太くするのにも限界がある。
そのため、特許文献１に記載された従来のブラシは、いわゆる工業用ブラシには使用できないという問題があった。
【０００５】
この発明の目的は、柄の部分とブラシの部分を、連結部を介して着脱可能にしながら、それら連結部の強度を十分に保った組み立て式ブラシを提供することである。
【課題を解決するための手段】
【０００６】
この発明は、ブラシ毛を植え付けた植え付け部とこの植え付け部に連結する連結部とを備えたブラシ本体と握り部と上記ブラシ本体に連結する連結部とを備えた柄本体とからなり、上記ブラシ本体の連結部あるいは柄本体の連結部のいずれか一方の連結部には挿入穴を形成し、いずれか他方の連結部には、上記一方の連結部に設けた挿入穴に挿入される挿入突部を形成した組み立て式ブラシを前提とする。
そして、上記一方の連結部の挿入穴は、上記挿入突部の挿入方向を基準として、後方に位置する第１挿入穴と、この第１挿入穴よりも前方に位置し、上記第１挿入穴よりも開口断面を小さくした第２挿入穴と、これら第１，２挿入穴の中間に位置し、その縁に引っ掛け部を設けた開口とを備えている。
また、上記他方の連結部の挿入突部は、上記挿入穴への挿入方向を基準として後方に位置する第１挿入突部と、この第１挿入突部に連続し、この第１挿入突部よりも前方に位置して第１挿入突部より幅を狭くした第２挿入突部と、上記第１挿入突部に連続し、第２挿入突部の両外側に位置してその先端に鉤部を設けた一対の弾性引っ掛け片とを備える。
【０００７】
さらに、上記第２挿入突部は上記弾性引っ掛け片よりも上記挿入方向前方に突出する長さを保ち、上記第１，２挿入穴の挿入方向長さを上記第１，２挿入突部及び上記弾性引っ掛け片を挿入可能な寸法にするとともに、上記第１，２挿入穴の内周と第１，２挿入突部の外周とがほぼ一致する寸法にし、かつ、上記弾性引っ掛け片は、自然状態において上記鉤部が上記第１挿入突部の幅より外方に突出する寸法関係を維持し、上記挿入穴に上記挿入突部を挿入したとき、上記弾性引っ掛け片の鉤部が、上記開口から外方へ突出して上記引っ掛け部に引っ掛かる構成にした。
【発明の効果】
【００１０】
この発明によれば、柄とブラシの部分とを分離できるので、例えばブラシ毛が磨耗してしまったとき、ブラシの部分だけを取り替えて、柄はそのまま利用することができる。また、柄が破損したり汚れてしまったりしたときには、柄だけを取り替えて使用することも可能である。
また、用途に応じてブラシの種類を簡単に取り替えることもできる。例えば、金属製ワイヤーブラシ、動物毛ブラシ、化学繊維ブラシ等を、その用途に応じて取り替えながら使用することができる。
そして、この発明においては、ブラシを組み立てる際の、連結部が、挿入穴と挿入突部とからなり、雄ねじの基端のように、応力が集中して破損し易い箇所がない。
【００１１】
また、上記挿入穴は、挿入突部の全長を挿入する寸法を備えているので、一方の連結部と他方の連結部との重なり長さが長くなる。重なり長さが長くなれば、それだけ両連結部間のがたつきが小さくなる。
特に、挿入突部を弾性引っ掛け片よりも突出させることによって挿入突部の全長を長くできるため、両連結部間のがたつきをほとんどなくすこともできる。
もし、連結部にがたつきがあると、ブラシの使用中に連結部に作用する荷重によって両連結部間にずれが生じ、応力が集中する箇所ができてしまう。
しかし、この発明のようにがたつきが小さければ、荷重が作用しても応力が集中する箇所ができないので連結部が破損しにくい。
【００１２】
また、他方の連結部の弾性引っ掛け片の鉤部が、挿入穴の開口の引っ掛け部に引っかかって連結されるので、一旦挿入された引っ掛け片が挿入穴から簡単に抜けない。
【図面の簡単な説明】
【００１３】
【図１】図１は実施形態の組み立て式ブラシの側面図である。
【図２】図２は実施形態のブラシ本体と柄本体の平面図である。
【図３】図３は実施形態のブラシ本体の側面図である。
【発明を実施するための形態】
【００１４】
図１〜図３にこの発明の組み立てブラシの一実施形態を示す。
この実施形態の組み立て式ブラシは、図１に示す通り、ブラシ本体１と柄本体２とからなり、これらブラシ本体１と柄本体２とをそれぞれの連結部３，４によって着脱自在にしている。
【００１５】
上記ブラシ本体１は、ブラシ毛５を植え付けた植え付け部６と、この発明の一方の連結部である連結部３とを備えている。
上記連結部３は、後で説明する柄本体２の連結部４に形成した挿入突部を挿入する第１挿入穴７ａと、この第１挿入穴７ａより挿入方向前方である、植え付け部６側へ連続し、第１挿入穴７ａよりも開口断面を小さくした第２挿入穴７ｂとを備えている。これら第１挿入穴７ａおよび第２挿入穴７ｂによってこの発明の挿入穴を構成している。
なお、この実施形態では、上記連結部４がこの発明の他方の連結部を構成する。
【００１６】
また、図１、図３に示すように、上記第１挿入穴７ａおよび第２挿入穴７ｂの中間には、開口７ｃを形成するとともに、この開口７ｃの縁を引っ掛け部７ｄとしている。この引っ掛け部７ｄは、後で説明する柄本体２の連結部４に設けた弾性引っ掛け片１１を引っ掛けるためのものである。
さらに、このブラシ本体１の連結部３であって、ブラシ毛５とは反対側の面には、指当て面８を設けている。この指当て面８はこの実施形態の組み立て式ブラシを使用する際に、指を当てて力を作用させるための面である。
なお、このブラシ本体１の植え付け部６及び連結部３は、樹脂によって一体成形することができる。
【００１７】
一方、柄本体２は、ブラシ本体１の連結部３と連結する他方の連結部である上記連結部４と、この連結部４に連続する握り部９とを備えている。さらに、上記握り部９の端部にはスクレーパ１２を設けている、このスクレーパ１２は、この実施形態の組み立て式ブラシのブラシ毛５で処理する前に、処理する対象物の錆や汚れを予め削り落とすためのものであるが、必須の要素ではない。
【００１８】
また、柄本体２の連結部４は、図２に示すように、握り部９に連続する第１挿入突部１０ａと、この第１挿入突部１０ａより挿入方向前方に位置し、第１挿入突部１０ａよりも幅を狭くした第２挿入突部１０ｂとを備えている。そして、これら第１、第２挿入突部１０ａ，１０ｂによってこの発明の挿入突部を構成している。
さらに、この連結部４には、上記第１挿入突部１０ａと連続する一対の弾性引っ掛け片１１を設けている。この弾性引っ掛け片１１は、上記第２挿入突部の両外側に設けられ、外力が作用しない自然状態において、先端の鉤部１１ａが、上記第１挿入突部１０ａの幅より外方に突出するようにしている。
【００１９】
また、上記第２挿入突部１０ｂの先端を、上記引っ掛け片１１よりも挿入方向前方に突出させている。
なお、これら第１、第２挿入突部１０ａ，１０ｂ及び弾性引っ掛け片１１は、樹脂製の柄本体２として一体成形することができる。
【００２０】
そして、上記ブラシ本体１の連結部３における第１挿入穴７ａと第２挿入穴７ｂとを合わせた挿入穴を、柄本体２の第１、第２挿入突部１０ａ、１０ｂ及び弾性引っ掛け片１１を挿入可能な寸法にしている。
すなわち、上記第１挿入穴７ａと第２挿入穴７ｂとを合わせた挿入穴の長さＬ１を、第１、第２挿入突部１０ａ，１０ｂ合わせた長さＬ２と同等、あるいは僅かに大きくし、ブラシ本体１の連結部３に柄本体２の連結部４とを挿入して連結したとき、上記第１、第２挿入突部１０ａ，１０ｂの全長Ｌ２が、上記第１、第２挿入穴７ａ，７ｂ内に収まるようにしている。
【００２１】
また、上記第１挿入穴７ａの内周と上記第１挿入突部１０ａの外周とをほぼ一致させるとともに、上記第２挿入突部１０ｂの外周と上記第２挿入穴７ｂの内周とをほぼ一致させるようにしている。
【００２２】
上記のようにしたブラシ本体１の上記第１、第２挿入穴７ａ，７ｂに柄本体２の第１、第２挿入突部１０ａ，１０ｂを挿入して、ブラシ本体１と柄本体２とを連結すると、両連結部３，４の間にはほとんど隙間ができない。
また、上記弾性引っ掛け片１１は、上記第１挿入突部１０ａとほぼ一致する第１挿入穴７ａに挿入されると、その先端側が内方に向かって移動するが、開口７ｃに達すると、外方に広がり、鉤部１１ａが引っ掛け部７ｄに引っかかることになる。これにより、一旦挿入された引っ掛け片１１が第１挿入穴７ａから簡単に抜けることはない。
【００２３】
上記のように連結部３と連結部４とを連結して組み立てた組み立て式ブラシは、連結部３の挿入穴７ａ，７ｂと連結部４の第１、第２挿入突部１０ａ，１０ｂとの重なり長さが長いため、ブラシ毛５の先端を対象物に強く押し付けて使用したとしても、連結部分が破損したりがたついたりすることがない。従って、この組み立て式ブラシを、大きな力が作用する工業用ブラシとして使用することができる。
特に、この実施形態の組み立て式ブラシでは、連結部４に弾性引っ掛け片１１よりも挿入方向前方に突出した第２挿入突部１０ｂを備えたことによって、連結部３と連結部４との重なり長さを大きくして、連結部分の安定性を増している。
【００２４】
上記のように、第２挿入突部１０ｂを備えることによって、連結部分の安定性を上げることができる理由は、次のとおりである。
まず、連結部３と連結部４との連結部分の強度を増すためには、両者の重なり長さが大きいことが必要である。両連結部３，４の重なり長さが大きければ、たとえ連結部３の挿入穴と連結部４の挿入突部との間に僅かな隙間があったとしても、挿入穴に対する挿入突部の傾きが小さくなる。つまり、がたつきが小さくなるため、特定の箇所に応力が集中することもなく、全体としての強度を保つことができるのである。
【００２５】
一方、上記弾性引っ掛け片１１は、樹脂片の弾性を利用したもので、その長さを長くしすぎると剛性が保てなくなってしまう。そのため、弾性引っ掛け片１１をそれほど長くすることはできない。
そのため、連結部４が、第１挿入突部１０ａと弾性引っ掛け片１１とで構成され、第２挿入突部１０ｂを備えていない場合には、挿入突部の全長をそれほど長くすることができない。
しかし、上記実施形態のように、弾性引っ掛け片１１の先端から突出する第２挿入突部１０ｂを設ければ、上記弾性引っ掛け片１１の適度な剛性を維持しながら、挿入突部の全長を長くして挿入穴との重なり長さを大きくすることができる。
【００２６】
なお、上記実施形態では、ブラシ本体１の連結部３に挿入穴を形成し、柄本体２の連結部４に挿入突部を設けているが、ブラシ本体１に挿入突部を形成した上記連結部４を設け、柄本体２に挿入穴を形成した上記連結部３を設けてもよい。いずれにしても、上記挿入穴と挿入突部との重なり長さを長くでき、連結部分の強度を高めるとともに、がたつきをなくして、工業用ブラシとしての使用に耐えるものとなる。
【産業上の利用可能性】
【００２７】
この発明の組み立て式ブラシは、錆落としや洗浄などに用い、大きな力を作用させる工業用ブラシに適している。
【符号の説明】
【００２８】
補正
１      ブラシ本体
２      柄本体
３      連結部
４      連結部
５      ブラシ毛
６      植え付け部
７ａ    第１挿入穴
７ｂ    第２挿入穴
７ｃ    開口
７ｄ    引っ掛け部
９      握り部
１０ａ  第１挿入突部
１０ｂ  第２挿入突部
１１    弾性引っ掛け片
１１ａ  鉤部
【図１】
0005725756.tif 000002
【図２】
0005725756.tif 000003
【図３】
0005725756.tif 000004